(57)【要約】【課題】コンバインの走行フレーム上の重量変化を検出して実際に走行フレームが傾く前にバランス装置を作動させて機体の重心位置が変化しないようにすることで、機体の前後左右の水平を維持して、脱穀装置の選別性能を良好に維持する。【解決手段】コンバインの走行フレーム（１）上に備えたグレンタンク（２）との機体中心対称位置に、二次元的に移動可能なバランスウエイト（３）を備えたバランス装置（４）を設け、グレンタンク（２）内に設ける穀粒センサ（Ｓ１，Ｓ２，Ｓ３，Ｓ４）の穀粒溜まり具合の検出結果に基づいて、グレンタンク（２）内の穀粒が増加しても機体全体の重心位置が変化しないように前記バランス装置（４）を作動させる構成とする。【選択図】図２
2011135792.tif 000002
【特許請求の範囲】
【請求項１】
コンバインの走行フレーム（１）上に備えたグレンタンク（２）との機体中心対称位置に、二次元的に移動可能なバランスウエイト（３）を備えたバランス装置（４）を設け、グレンタンク（２）内に設ける穀粒センサ（Ｓ１，Ｓ２，Ｓ３，Ｓ４）の穀粒溜まり具合の検出結果に基づいて、グレンタンク（２）内の穀粒が増加しても機体全体の重心位置が変化しないように前記バランス装置（４）を作動させる構成としたことを特徴とするコンバインの姿勢安定装置。
【請求項２】
前記穀粒センサ（Ｓ１，Ｓ２，Ｓ３，Ｓ４）をグレンタンク（２）に溜まった穀粒の重量を検出する複数の重量センサとしたことを特徴とする請求項１に記載のコンバインの姿勢安定装置。
【請求項３】
前記穀粒センサ（Ｓ１，Ｓ２，Ｓ３，Ｓ４）をグレンタンク（２）内に上下方向に配置した複数の接触センサとしたことを特徴とする請求項１に記載のコンバインの姿勢安定装置。
【発明の詳細な説明】
【技術分野】
【０００１】
本発明は、収穫した穀粒を貯留するグレンタンクを有するコンバインの姿勢安定装置に関する。
【背景技術】
【０００２】
コンバインは、機体が傾くと脱穀装置の選別性能が悪くなるために、走行時の機体バランスの崩れを修正するコンバインの姿勢安定装置を設ける。この姿勢安定装置は、例えば、下記特許文献１に記載されている。
【０００３】
このコンバインの姿勢安定装置は、走行フレームの左右に設けるクローラ走行装置を装着するトラックフレームを昇降可能にすると共に走行フレーム側のトラックフレーム昇降部材の支持部を走行フレームに対して前後動可能にしている。そして、走行フレームに設けた左右水平センサの傾斜検出でトラックフレーム昇降部材を昇降して左右の傾きを修正し、走行フレームに設けた前後傾斜センサの傾斜検出でトラックフレーム昇降部材の支持部を前後に移動して機体のバランス崩れを修正するようにしている。
【先行技術文献】
【特許文献】
【０００４】
【特許文献１】特開平８−１６９３６８号公報
【発明の概要】
【発明が解決しようとする課題】
【０００５】
従来のコンバインの姿勢安定装置は、前記の如く、走行フレームの適所に設けた左右水平センサと前後傾斜センサの傾き検出によって走行フレームの傾きを修正するものであるために、走行フレームがある程度傾いた後に水平に戻す動きが有って、一時的に脱穀装置の選別性能が悪くなる。
【０００６】
そこで、本発明は、コンバインにおいて、走行フレーム上の重量変化を検出して実際に走行フレームが傾く前にバランス装置を作動させて機体の重心位置が変化しないようにすることで、機体の前後左右の水平を維持して、脱穀装置の選別性能を良好に維持することを課題とする。
【課題を解決するための手段】
【０００７】
上記本発明の課題は、次の技術手段により解決される。
請求項１に記載の発明は、コンバインの走行フレーム（１）上に備えたグレンタンク（２）との機体中心対称位置に、二次元的に移動可能なバランスウエイト（３）を備えたバランス装置（４）を設け、グレンタンク（２）内に設ける穀粒センサ（Ｓ１，Ｓ２，Ｓ３，Ｓ４）の穀粒溜まり具合の検出結果に基づいて、グレンタンク（２）内の穀粒が増加しても機体全体の重心位置が変化しないように前記バランス装置（４）を作動させる構成としたことを特徴とするコンバインの姿勢安定装置とした。
【０００８】
この構成で、穀粒センサ（Ｓ１，Ｓ２，Ｓ３，Ｓ４）がグレンタンク（２）に収穫した穀粒が溜まってくるのを検出して、機体全体の重心位置が変化しないようにバランス装置（４）のバランスウエイト（３）を移動することで、機体のバランス崩れを防ぐ。
【０００９】
請求項２に記載の発明は、前記穀粒センサ（Ｓ１，Ｓ２，Ｓ３，Ｓ４）をグレンタンク（２）に溜まった穀粒の重量を検出する複数の重量センサとしたことを特徴とする請求項１に記載のコンバインの姿勢安定装置とした。
【００１０】
この構成で、グレンタンク（２）への穀粒の溜まり具合を重量変化で検出する。
請求項３に記載の発明は、前記穀粒センサ（Ｓ１，Ｓ２，Ｓ３，Ｓ４）をグレンタンク（２）内に上下方向に配置した複数の接触センサとしたことを特徴とする請求項１に記載のコンバインの姿勢安定装置とした。
【００１１】
この構成で、グレンタンク（２）への穀粒の溜まり具合を複数の接触センサに穀粒が接触することで検出する。
【発明の効果】
【００１２】
請求項１〜３記載の発明によると、走行フレーム（１）が傾く前にグレンタンク（２）の穀粒溜まり具合によって機体全体の重量バランス変化を予測してバランス装置（４）を作動させるので、機体が傾くことなく、脱穀装置の選別性能を良好に維持できる。
【図面の簡単な説明】
【００１３】
【図１】本発明の実施例を示すコンバインの一部破断側面図である。
【図２】コンバインの一部破断平面図である。
【図３】バランス装置の第一実施例の斜視図である。
【図４】グレンタンク内のセンサ配置の第一実施例を示す斜視図である。
【図５】（ａ），（ｂ），（ｃ）第一実施例のセンサ配置によるバランスウエイトの移動位置を示す平面図である。
【図６】バランス装置の第二実施例の斜視図である。
【図７】（ａ），（ｂ），（ｃ），（ｄ）第二実施例のバランスウエイトの第一実施例センサ配置による移動位置を示す平面図である。
【図８】センサ配置の第二実施例を示すコンバインの側面図である。
【図９】距離センサ取付の第一実施例を示すコンバインの一部平面図である。
【図１０】距離センサ取付部の拡大平面図である。
【図１１】距離センサ取付の第二実施例を示すコンバインの平面図である。
【図１２】距離センサ取付の第二実施例を示すコンバインの側面図である。
【発明を実施するための最良の形態】
【００１４】
以下、本発明の実施形態を図面に示す実施例を参照しながら説明する。なお、以下の説明で、前後左右とはコンバインに登場した作業者からみた方向で、機体を前方へ走行して収穫作業を行う。
【００１５】
本発明のコンバインの基本構成は、従来技術と同じで、クローラベルトを前後方向に張架したクローラ走行装置５を走行フレーム１の下部左右に装着し、走行フレーム１上の左側に脱穀装置７を搭載し、右前側に作業者が搭乗して操縦操作を行う操縦部６を設け、その後部に脱穀装置７から排出される収穫穀粒を貯留するグレンタンク２を搭載している。脱穀装置７の後部にはカッター９を装着し、グレンタンク２の後部から上方へ揚穀筒を立ち上げてその上端から前方へ伸ばして穀粒排出用のオーガ１０を設けている。
【００１６】
走行フレーム１の前側には、刈取搬送装置８を走行フレーム１上に設ける枢支軸１１でその前端を昇降可能に装着している。
走行フレーム１の脱穀装置７下部には、バランス装置４を設けている。このバランス装置４は、前後に配置する二個のバランスウエイト３ａ，３ｂを二次元的に移動させるもので、前後のバランスウエイト３ａ，３ｂの取付構造は同一である。
【００１７】
前側のバランスウエイト３ａの取付構造を説明すると、左右支持枠１２Ｒ，１２Ｌ間に横架するガイド杆１４と駆動軸１３にバランスウエイト３ａを取り付け、左右支持枠１２Ｒ，１２Ｌが左右レール１５Ｒ，１５Ｌに沿って前後に移動可能で、駆動軸１３の軸端に固着のモータ１９ａで駆動軸１３を回転してバランスウエイト３ａを左右に移動する。
【００１８】
前後のモータ１９ａ，１９ｂは、走行フレーム１に取り付けた支持ブラケット１７との間にそれぞれ油圧シリンダ１８Ｆ，１８Ｒを取り付け、油圧シリンダ１８Ｆ，１８Ｒの伸縮で左右支持枠１２Ｒ，１２Ｌと共に前後バランスウエイト３ａ，３ｂをそれぞれ前後に移動可能である。
【００１９】
図４は、グレンタンク２内の底部に設ける穀粒センサＳ１，Ｓ２，Ｓ３，Ｓ４としての重量センサの配置を示し、前側左に設ける前左重量センサＳ２と前側右に設ける前右重量センサＳ１と後側左に設ける後左重量センサＳ４と後側右に設ける後右重量センサＳ３で構成している。
【００２０】
各重量センサＳ１，Ｓ２，Ｓ３，Ｓ４は、所定重量以上を検出するとオン信号を出力し、オン信号によって図５の（ａ）、（ｂ）、（ｃ）の位置にバランスウエイト３ａ，３ｂを移動してグレンタンク２に溜まる穀粒の重量変化に対応して機体の重心位置が変化即ち重量バランスが崩れないようにして脱穀装置７内の選別部の選別性能を良好に維持する。
【００２１】
ちなみに、図５（ａ）は全ての重量センサＳ１，Ｓ２，Ｓ３，Ｓ４がオフの場合のバランスウエイト３ａ，３ｂの位置を示し、図５（ｂ）は前右重量センサＳ１と前左重量センサＳ２がオンで後右重量センサＳ３と後左重量センサＳ４がオフの場合のバランスウエイト３ａ，３ｂの位置を示し、図５（ｃ）は全ての重量センサＳ１，Ｓ２，Ｓ３，Ｓ４がオンの場合のバランスウエイト３ａ，３ｂの位置を示している。
【００２２】
図６は、バランス装置４の第二実施例を示し、左右支持枠１２Ｒ，１２Ｌを走行フレーム１に固定して、バランスウエイト３ａ，３ｂが左右に移動するのみである。
図７（ａ）は、バランス装置４の第二実施例において、全ての重量センサＳ１，Ｓ２，Ｓ３，Ｓ４がオフの場合のバランスウエイト３ａ，３ｂの位置を示し、図７（ｂ）は前右重量センサＳ１のみがオンで前左重量センサＳ２と後右重量センサＳ３と後左重量センサＳ４がオフの場合のバランスウエイト３ａ，３ｂの位置を示し、図７（ｃ）は前右重量センサＳ１と前左重量センサＳ２がオンで後右重量センサＳ３と後左重量センサＳ４がオフの場合のバランスウエイト３ａ，３ｂの位置を示し、図７（ｄ）は全ての重量センサＳ１，Ｓ２，Ｓ３，Ｓ４がオンの場合のバランスウエイト３ａ，３ｂの位置を示している。
【００２３】
図８は、穀粒センサＳ１，Ｓ２，Ｓ３，Ｓ４を接触センサとして、グレンタンク２の上下方向に等間隔で複数の接触センサＳ１，Ｓ２，Ｓ３，Ｓ４を設けて、穀粒の溜まり位置を検出して事前に制御装置に入力した溜まり位置と重心位置のデータを利用して油圧シリンダ１８Ｆ，１８Ｒとモータ１９ａ，１９ｂを制御してバランスウエイト３ａ，３ｂを移動させるようにする。
【００２４】
また、グレンタンク２内でなく、走行フレーム１の四隅に重量検出センサを設け、各重量検出センサの検出する重量から重心位置を算出し、この算出重心位置が変動しないようにバランスウエイト３ａ，３ｂを移動させることも出来る。
【００２５】
図９は、刈取搬送装置８の右先端に設ける分草杆２０の前面に前方に向かってフロント距離センサＦＳを複数個縦に設け、分草杆２０の右側面に側方に向かってサイド距離センサＳＳを複数個横に設けている。
【００２６】
フロント距離センサＦＳは機体の前方向の畔等の障害物や圃場に傾斜を検出し、障害物や圃場面の上り傾斜を検出すると、警報を表示或いは鳴らしたり自動的に減速停止したり後進させたり圃場面の上り傾斜に沿わせるように刈取搬送装置８の前を上昇させたりするように制御する。サイド距離センサＳＳは機体右側部の畔を検出して近づき過ぎを警報する。
【００２７】
なお、機体前方の障害物検出は、オーガ１０の先端に下方へ向けてオーガ距離センサＤＳを設けて、図１０の如くオーガ１０を横振りしたり前後に伸縮したりして機体前方の障害物を検出して適宜の制御を行うようにすることも出来る。
【００２８】
また、オーガ距離センサＤＳの代わりにＣＣＤカメラをオーガ１０の先端に取り付けて、機体前方の圃場面を映して操縦部６の作業者がその圃場面画像を見ながら刈取搬送装置８を昇降操作するようにすることも出来る。
【符号の説明】
【００２９】
１    走行フレーム
２    グレンタンク
３ａ  バランスウエイト
３ｂ  バランスウエイト
４    バランス装置
Ｓ１  穀粒センサ
Ｓ２  穀粒センサ
Ｓ３  穀粒センサ
Ｓ４  穀粒センサ
【図１】
2011135792.tif 000003
【図２】
2011135792.tif 000004
【図３】
2011135792.tif 000005
【図４】
2011135792.tif 000006
【図５】
2011135792.tif 000007
【図６】
2011135792.tif 000008
【図７】
2011135792.tif 000009
【図８】
2011135792.tif 000010
【図９】
2011135792.tif 000011
【図１０】
2011135792.tif 000012
【図１１】
2011135792.tif 000013
【図１２】
2011135792.tif 000014